(57)【要約】  【課題】  着信拒否設定に該当する着信があった場合であっても、発信側の通信装置と接続している通信を切断することなく発信者を特定した上で応答することができる通信装置を提供すること。  【解決手段】  本発明の通信装置は、発信側の通信装置を特定する発信者情報を受信する発信者情報受信手段と、発信側の通信装置と着信応答する着信条件を設定する着信条件設定手段と、前記発信者情報と前記着信条件を参照して、発信側の通信装置との着信応答を許可するか否かを判定する判定手段と、前記発信者情報が前記着信条件を満たさない場合、前記着信条件を満たすために不足している発信者情報を発信側の通信装置へ要求する発信者情報要求手段とを備える。【選択図】  図１
2007082089.tif 000002
【特許請求の範囲】
【請求項１】
発信側の通信装置を特定する発信者情報を受信する発信者情報受信手段と、
発信側の通信装置と着信応答する着信条件を設定する着信条件設定手段と、
前記発信者情報と前記着信条件を参照して、発信側の通信装置との着信応答を許可するか否かを判定する判定手段と、
前記発信者情報が前記着信条件を満たさない場合、前記着信条件を満たすために不足している発信者情報を発信側の通信装置へ要求する発信者情報要求手段と、
を備える通信装置。
【請求項２】
前記発信者情報を表示する発信者情報表示手段を備える請求項１に記載の通信装置。
【請求項３】
前記発信者情報要求手段からの要求を受信する要求受信手段と、
受信した要求内容に応ずる発信者情報を返信する要求返信手段と、
を備える請求項１または２に記載の通信装置。
【請求項４】
受信した要求内容に応ずる発信者情報を表示する要求内容表示手段を備える請求項３に記載の通信装置。
【請求項５】
受信した要求内容に応ずる発信者情報の返信の可否を選択する返信可否選択手段を備える請求項３または４に記載の通信装置。
【請求項６】
前記発信者情報は、発信側の通信装置の電話番号を含む情報である請求項１から５いずれか一項に記載の通信装置。
【請求項７】
前記発信者情報を記録する発信者情報記録手段を備え、
前記判定手段は、前記発信者情報記録手段に記録された発信者情報と発信側の通信装置から受信した発信者情報と、前記着信条件とを参照して発信側の通信装置との着信応答を許可するか否かを判定する請求項６に記載の通信装置。
【請求項８】
発信側の通信装置を識別する発信者情報を受信する発信者情報受信ステップと、
発信側の通信装置と着信応答する着信条件を設定する着信条件設定ステップと、
前記発信者情報と前記着信条件を参照して、発信側の通信装置との着信応答を許可するか否かを判定する判定ステップと、
前記発信者情報が前記着信条件を満たさない場合、前記着信条件を満たすために不足している発信者情報を発信側の通信装置へ要求する発信者情報要求ステップと、
を備える通信方法。
【発明の詳細な説明】
【技術分野】
【０００１】
本発明は、発信側の通信装置を特定・識別するための発信者情報を送受信する通信装置および通信方法に関する。
【背景技術】
【０００２】
従来より、悪戯電話等の着信を拒否する着信拒否機能を有する通信端末装置が知られている。その着信拒否方法としては、予めメモリに複数の電話番号を登録しておき、着信時に送られてきた電話番号と一致しない場合に着信を拒否する方法と、この方法とは逆に着信時に送られてきた電話番号と一致した場合に着信を拒否する方法がある。
【０００３】
しかし、上述の着信拒否方法は、着信拒否設定を適用したい電話番号が既知であることを前提としており、未知の電話番号に対しての着信許可もしくは着信拒否を行うことができない。
【０００４】
そこで、特許文献１に記載されているように、受信側の通信装置に対して発信側の電話番号の通知がされていない場合、その着信を拒否する着信拒否方式が提案されている。
【特許文献１】特開平２−５４６５６号公報
【発明の開示】
【発明が解決しようとする課題】
【０００５】
しかしながら、特許文献１に記載の着信拒否方式は、番号非通知の着信があった場合、一度通信を切断し、発信側の通信装置もしくは通信網等の設定を番号通知に変更し直して再度発信する必要があった。また、この着信拒否方式は電話番号の通知の有無のみを着信応答の条件とするため、未知の電話番号から着信があった場合、ユーザは通知された電話番号にのみ基づいて応答するか否かを判断しなくてはならなかった。
【０００６】
本発明は、上記事情に鑑みてなされたもので、着信拒否設定に該当する着信があった場合であっても、発信側の通信装置と接続している通信を切断することなく発信者を特定した上で応答することができる通信装置を提供することを目的とする。
【課題を解決するための手段】
【０００７】
本発明の通信装置は、発信側の通信装置を特定する発信者情報を受信する発信者情報受信手段と、発信側の通信装置と着信応答する着信条件を設定する着信条件設定手段と、前記発信者情報と前記着信条件を参照して、発信側の通信装置との着信応答を許可する着信応答許可手段と、前記発信者情報が前記着信条件を満たさない場合、前記着信条件を満たすために不足している発信者情報を発信側の通信装置へ要求する発信者情報要求手段とを備える。
【０００８】
この構成により、電話番号が非通知である等、受信した発信者情報が予め設定された着信条件を満たしていない場合、着信条件を満たすために必要な発信者情報を発信側の通信装置に要求し、要求した発信者情報が返信されてきたときは着信条件が満たされて着信応答を許可するので、発信側の通信装置との通信を切断することなく応答することができる。
【０００９】
また、本発明の通信装置は、前記発信者情報を表示する発信者情報表示手段を備える。
【００１０】
この構成により、受信側の通信装置のユーザは、通知された発信者情報を確認することができる。
【００１１】
また、本発明の通信装置は、前記発信者情報要求手段からの要求を受信する要求受信手段と、受信した要求内容に応ずる発信者情報を返信する要求返信手段とを備える。
【００１２】
この構成により、電話番号が非通知である等、発信した発信者情報が受信側の通信装置で設定された着信条件を満たさなかった場合、受信側の通信装置が要求している発信者情報を返信することができる。
【００１３】
また、本発明の通信装置は、受信した要求内容に応ずる発信者情報を表示する要求内容表示手段を備える。
【００１４】
この構成により、発信側の通信装置のユーザは、受信側の通信装置から着信応答するのに必要な情報として要求された発信者情報の内容を、表示手段により見て確認することができる。
【００１５】
また、本発明の通信装置は、受信した要求内容に応ずる発信者情報の返信の可否を選択する返信可否選択手段を備える。
【００１６】
この構成により、受信側の通信装置から要求された内容に応じて、該当する発信者情報を返信するか否かを選択することができる。
【００１７】
また、本発明の通信装置が受信または送信する前記発信者情報は、発信側の通信装置の電話番号を含む情報である。
【００１８】
この構成により、電話番号の通知の有無を着信条件として設定することができる。
【００１９】
また、本発明の通信装置は、前記発信者情報を記録する発信者情報記録手段を備え、前記着信応答許可手段は、前記発信者情報記録手段に記録された発信者情報と発信側の通信装置から受信した発信者情報と、前記着信条件とを参照して発信側の通信装置との着信応答を許可するか否かを判定する。
【００２０】
この構成により、記録した発信者情報も参照されるので、一度要求して記録した発信者情報を再び発信側の通信装置に要求する必要がなくなる。
【００２１】
また、本発明の通信方法は、発信側の通信装置を識別する発信者情報を受信する発信者情報受信ステップと、発信側の通信装置と着信応答する着信条件を設定する着信条件設定ステップと、前記発信者情報と前記着信条件を参照して、発信側の通信装置との着信応答を許可するか否かを判定する判定ステップと、前記発信者情報が前記着信条件を満たさない場合、前記着信条件を満たすために不足している発信者情報を発信側の通信装置へ要求する発信者情報要求ステップとを備える。
【発明の効果】
【００２２】
本発明によれば、着信拒否設定に該当する着信があった場合であっても、発信側の通信装置と接続している通信を切断することなく発信者を特定した上で応答することができる。
【発明を実施するための最良の形態】
【００２３】
以下、本発明の実施の形態について、図面を参照して説明する。
（実施の形態１）
図１は、携帯電話１０の概略構成を示すブロック図である。この図において、携帯電話１０は、アンテナ１０１と、無線部１０２と、ベースバンド部１０３と、制御部１０４と、表示部１０５と、マイク・スピーカー部１０６を備えている。無線部１０２は、アンテナ１０１を介して携帯電話網のネットワーク網と通信を行って、音声通話や各サーバとの通信を実現する。
【００２４】
また、無線部１０２は、アンテナ１０１で捉えた無線信号を無線周波数からベースバンド周波数へダウンコンバートしてベースバンド部１０３に入力し、またベースバンド部１０３で生成されたベースバンド信号を無線周波数に変換してアンテナ１０１から送信する。
【００２５】
ベースバンド部１０３は、無線部１０２からのベースバンド信号に対して復調等の処理を行って制御部１０４に入力し、また制御部１０４からの送信データに対して変調等を行ってベースバンド信号を生成し、無線部１０２に入力する。
【００２６】
制御部１０４は、図示せぬＣＰＵ、ＲＡＭ、ＲＯＭ等を備えて構成され、発信者情報受信部１０４１、判定部１０４２、着信条件設定部１０４３、発信者情報要求部１０４４、発信者情報記録部１０４５、タイマー部１０４６を実現する。制御部１０４のＲＡＭには、揮発性のものと不揮発性のものとが搭載されており、揮発性のものはワークメモリとして使用され、不揮発性のものは発信者情報を記録する発信者情報記録部１０４５として使用される。
【００２７】
着信条件設定部１０４３には、図２に示すように、発信してきた携帯電話端末（発信側の端末）を特定・識別するのに用いる発信者情報（電話番号、メールアドレス、暗証番号、氏名…）のうち、着信応答するのに発信側の端末に対して少なくとも要求する発信者情報を設定する。
【００２８】
図２に示されている着信条件では、端末Ａから着信があった際、例えば、端末Ａの電話番号と端末Ａのユーザの氏名を要求する。ここでは、端末Ａのメールアドレス、暗証番号は要求しない設定となっている。
【００２９】
なお、発信者情報はここで示した例に限られず、発信側の端末を識別するのに用いられるものであれば良い。グールプ内で共有している暗号などでも良く、組み合わせも自由である。
【００３０】
図１に戻り、発信者情報受信部１０４１は、着信の際、その発信側の端末から送付（通知）された発信者情報の受信を行う。判定部１０４２は、上述した着信条件と受信した発信者情報とを参照し、着信条件で要求されている発信者情報が全て揃っているか否かを確認して、着信応答を許可するか否かを判定する。
【００３１】
受信した発信者情報は、発信者情報記録部１０４５に記録される。
【００３２】
なお、着信応答を許可するか否かを判定する際には、着信の際に受信した発信者情報だけでなく発信者情報記録部１０４５に記録されている発信者情報を参照する構成であっても良い。
【００３３】
判定部１０４２が着信応答を許可する場合、すなわち、着信条件で要求されている発信者情報が揃っている場合は、ベースバンド部１０３、マイク・スピーカ部１０６の動作をオンして、発信側の端末と通話可能な状態にする。
【００３４】
判定部１０４２が着信応答を許可しない場合、すなわち、着信条件で要求されている発信者情報が揃っていない場合は、発信者情報要求部１０４４が不足している発信者情報を要求する指示をベースバンド部１０３に送る。その指示を受け、無線部１０２、アンテナ１０１を介して発信側の端末に対して要求が通知される。
【００３５】
発信側の端末に不足している発信者情報を要求しても返信がない場合は、通信を切断して着信拒否を実行する。また、タイマー部１０６によって、不足している発信者情報を要求してから一定時間経過しても返信がない場合は、通信を切断して着信を拒否する設定でも良い。
【００３６】
表示部１０５は、着信の際、その発信側の端末から送付（通知）された発信者情報を表示する。
【００３７】
この構成により、例えば、電話番号が非通知である等、発信側の端末から受信した発信者情報が予め設定された着信条件を満たしていない場合であっても、着信条件を満たすために必要な発信者情報を発信側の通信装置に要求し、要求した発信者情報が返信されてきたときは着信条件が満たされて着信応答を許可するので、発信側の通信装置との通信を切断することなく応答することができる。
【００３８】
なお、判定部１０４２について、着信条件で要求されている発信者情報が全て揃っているか否かを確認して着信応答を許可する場合について説明したがこれに限られず、着信条件で要求する発信者情報のうち少なくとも一つが確認できれば着信応答を許可する構成であっても良い。例えば、着信条件で要求する発信者情報として少なくとも電話番号を要求する構成であっても良い。
【００３９】
次に、上記構成の携帯電話１０の動作について、図３に示すフローチャートを参考に説明する。
【００４０】
ここで、着信側の端末（携帯電話１０）では着信条件で要求する発信者情報として電話番号を要求する設定であり、発信側の端末では、発信時に何の発信者情報も通知しない設定であるとして、携帯電話１０の動作について説明する。
【００４１】
まず、発信側の端末から着信側の端末に対して電話番号が非通知で発呼される（Ｓ１０１）。電話番号が通知されていないことを確認した受信側の端末は、発信者情報要求部１０４４により、発信側の端末に対して電話番号を通知するよう要求を行う（Ｓ１０２）。
【００４２】
発信側の端末は、その要求を受けて着信側の端末に対して電話番号を通知する（Ｓ１０３）。このように、着信側の端末が電話番号非通知の着信を拒否している場合に、発信側の端末で電話番号非通知の設定を行っている場合であっても、受信側の端末が電話番号を要求している場合には、要求にしたがって電話番号を通知することで、接続を切断することなく、また再度発呼を行うことなく呼接続状態とすることが可能となる。
【００４３】
また、着信側の端末が電話番号を要求しない場合には、電話番号を通知しなくて済むため、不要に電話番号を通信網に送出する必要が無くなる。本説明では呼接続状態となる前を上述の手続きを実行することを想定しているが、本手続きは呼接続が完了した後に行ってもよい。
【００４４】
続けて、上記構成の携帯電話１０の別動作について、図４に示すフローチャートを参考に説明する。
【００４５】
ここで、着信側の端末（携帯電話１０）では、発信者情報として、電話番号（情報１）と発信者氏名（情報３）との２つを要求する着信条件Ｔ２００に設定されており、発信側の端末では、発信時に電話番号（情報１）を通知する設定であるとして、携帯電話１０の動作について説明する。
【００４６】
発信側の端末は、まず、発信側の端末で発信時に通知する発信者情報として設定されている通知情報Ｔ２０１を通知して発呼する（Ｓ２０１）。通知情報Ｔ２０１を受信し、発信者氏名が通知されていないことを確認した受信側の端末は、発信者情報要求部１０４４により、発信側の端末に対して要求情報Ｔ２０２（ここでは、発信者氏名）を通知するよう要求を行う（Ｓ２０２）。
【００４７】
発信側の端末は、その要求を受けて着信側の端末に対して通知情報Ｔ２０３（ここでは、発信者氏名）を通知する（Ｓ２０３）。着信側では、着信側の端末として要求する情報を全て得ることができた場合に着信もしくは応答を行うことが可能となる。
【００４８】
不足する発信者情報を要求する通知を行っても応答が無い場合は、情報要求時（Ｓ２０２時）からのタイマを設け、一定時間経過後には着信拒否と同様に扱う。
【００４９】
また、不足する発信者情報を返信することができない旨が通知される場合にも着信拒否と同様に扱う。
【００５０】
また、上記構成の携帯電話１０の別動作について、図５に示すフローチャートを参考に説明する。
【００５１】
ここで、着信側の端末（携帯電話１０）では、発信者情報として、電話番号（情報１）と発信者氏名（情報３）との２つを要求する着信条件Ｔ３００に設定されており、発信側の端末では、発信時に電話番号（情報１）を通知する設定であるとして、携帯電話１０の動作について説明する。
【００５２】
発信側の端末は、まず情報通知Ｓ３０１により、着信側に対して発呼すると伴に通知情報Ｔ３０２を通知する。受信側の端末では着信条件Ｔ３００で電話番号（情報１）と発信者氏名（情報３）を指定しているが、着信側ですでに保持している着信側保持情報Ｔ３０１の電話番号（情報１）とＴ３０２に含まれている電話番号（情報１）とが一致している場合には、発信者氏名（情報３）を受信することなく着信を許可する。このように、受信側の端末で既に保有している発信者情報を参照して、着信条件の一部を免除する構成にしても良い。
【００５３】
なお、本実施例では携帯電話で説明したが、電話等の通信装置一般に適用できる。
【００５４】
また、着信側の端末（携帯電話１０）を認証サーバに置き換えることで、Ｗｅｂ等での認証等にも適用できる。
【００５５】
さらに、インスタントメッセンジャー等でのメッセージ通信や会議への参加等にも適用できる。
【００５６】
（実施の形態２）
図６は、携帯電話２０の概略構成を示すブロック図である。この図において、携帯電話２０は、アンテナ２０１と、無線部２０２と、ベースバンド部２０３と、制御部２０４と、表示部２０５と、マイク・スピーカー部２０６を備えている。無線部２０２は、アンテナ２０１を介して携帯電話網のネットワーク網と通信を行って、音声通話や各サーバとの通信を実現する。
【００５７】
また、無線部２０２は、アンテナ２０１で捉えた無線信号を無線周波数からベースバンド周波数へダウンコンバートしてベースバンド部２０３に入力し、またベースバンド部２０３で生成されたベースバンド信号を無線周波数に変換してアンテナ２０１から送信する。
【００５８】
ベースバンド部２０３は、無線部２０２からのベースバンド信号に対して復調等の処理を行って制御部２０４に入力し、また制御部２０４からの送信データに対して変調等を行ってベースバンド信号を生成し、無線部２０２に入力する。
【００５９】
制御部２０４は、図示せぬＣＰＵ、ＲＡＭ、ＲＯＭ等を備えて構成され、要求受信部２０４１、返信可否選択部２０４２、要求返信部２０４３、発信者情報記録部２０４４を実現する。制御部２０４のＲＡＭには、揮発性のものと不揮発性のものとが搭載されており、揮発性のものはワークメモリとして使用され、不揮発性のものは発信者情報を記録する発信者情報記録部２０４４として使用される。
【００６０】
要求受信部２０４１は、受信側の端末から送付されてきた要求（以下、要求Ａ）、すなわち、着信側の端末と着信応答するために必要な発信者情報の要求を受信する。
【００６１】
表示部２０５は、要求受信部２０４１が受信した要求Ａの内容を表示する。返信可否選択部２０４２は、要求Ａに該当する発信者情報を受信側の端末へ返信するのか否かを選択・決定する。この選択・決定は、ユーザが表示部２０５に表示された要求Ａの内容をみて行ってもよく、また、予め返信を行っても良い発信者情報と返信を行わない発信者情報とを振り分けておき、自動で返信の可否を決定する構成でも良い。例えば、電話番号は返信して良いが発信者氏名は返信をしない設定などでも良い。
【００６２】
返信可否選択部２０４２によって、受信側の端末に該当する発信者情報を返信することが選択・決定された場合、要求返信部２０４３は、発信者情報記録部２０４４を参照して該当する発信者情報を取得し、ベースバンド部２０３に送る。その指示を受け、無線部２０２とアンテナ２０１を介して受信側の端末に対して要求に対する応答が返信される。
【００６３】
なお、要求返信部２０４３は発信者情報記録部２０４４を参照して該当する発信者情報を取得するだけでなく、ユーザによる入力等によって該当する発信者情報を取得する構成であっても良い。
【００６４】
次に、上記構成の携帯電話２０の動作について、図７に示すフローチャートを参考に説明する。
【００６５】
ここで、着信側の端末では、発信者情報として、電話番号（情報１）と発信者氏名（情報３）との２つを要求する着信条件Ｔ４００に設定されており、発信側の端末（携帯電話２０）では、発信時に電話番号（情報１）を通知する設定であるとして、携帯電話２０の動作について説明する。
【００６６】
発信者は、まず通知情報選択Ｓ４０１により通知情報Ｔ４０１の設定を行い（Ｓ４０１）、発信側の端末では情報通知Ｓ４０２で、通知情報Ｔ４０１で指定した情報１を通知する（Ｓ４０２）。着信側の端末では情報要求Ｓ４０３で、着信条件Ｔ４００のうち受信していない要求情報を示す要求情報Ｔ４０２を送信する（Ｓ４０３）。
【００６７】
発信側の端末は、情報通知の可否選択要求Ｓ４０４で着信側の端末より要求された情報を通知するべきか否かの判断を発信者に対して要求する（Ｓ４０４）。発信者は情報通知の可否選択を行い、可とした場合、発信側の端末では要求通知（応答）Ｓ４０６により通知情報Ｔ４０３で示す情報３（ここでは、発信者氏名）を送信する（Ｓ４０６）。
【００６８】
なお、情報通知Ｓ４０２で着信側要求情報の全てが送信される場合は情報要求を行わない。また、着信側要求情報Ｔ４００及び情報通知Ｔ４０３で送信される情報は任意に選択可能である。情報通知の可否選択要求Ｓ４０４に対して、予め通知可能な情報を設定しておき、都度選択しないようにすることもできる。
【００６９】
また、発信側の端末が情報要求に対する通知応答に対応しているか否かを、発信者情報の要求以前に発信側の端末から通知されてもよい。発信者番号通知応答が無い場合は発信者番号要求時からのタイマを設け、一定時間経過後には着信拒否と同様の扱いをすることで、本発明の機能に対応しない装置との接続も確保することができる。
【００７０】
また、以上の実施の形態では、着信側と発信側の端末に分けて説明したがこれに限られず、一つの端末が両側の機能を備えていても良い。例えば、着信側と発信側の端末がともに両側の機能を備え、さらに、両端末間の通信を仲介するサーバを通信網上に設置して実現しても良い。
【００７１】
以下、上述のサーバの動作について、図８にしたがって説明する。
発信側の端末は、まず、回線網上のサーバに対して情報通知指示Ｔ５０１を送信する（Ｓ５０１）。回線網上のサーバは、通知情報Ｔ５０２で指定した情報１を通知する（Ｓ５０２）。
【００７２】
着信側の端末は、着信条件Ｔ５００のうち受信していない発信者情報を示す要求情報Ｔ５０３を回線網上のサーバに対して送信する（Ｓ５０３）。回線網上のサーバは、着信側の端末から要求された情報（情報３）を通知するべきか否かの判断を発信側の端末に対して要求する（Ｓ５０４）。
【００７３】
発信側の端末は、情報通知の可否選択を行い、その結果をサーバに通知する（Ｓ５０５）。可の通知を受けた場合、回線網上のサーバは通知情報Ｔ５０４で示す情報３を送信する。（Ｓ５０６）情報通知Ｓ５０２の時点で着信条件で要求される発信者情報の全てが送信されている場合は情報要求を行わない。
【００７４】
また、着信条件Ｔ５００及び通知情報Ｔ５０４で送信される情報は任意に選択可能である。情報通知の可否選択要求Ｓ５０５に対して、予め通知可能な情報を設定しておき、都度選択しないようにすることもできる。また、発信者が最終的な選択をしても良いし、予め発信側に通知可能な情報を設定しておき、都度選択しないようにすることも可能である。
【００７５】
なお、本実施例では携帯電話で説明したが、電話等の通信装置一般に適用できる。
【００７６】
また、着信側の端末を認証サーバに置き換えることで、Ｗｅｂ等での認証等にも適用できる。
【００７７】
さらに、インスタントメッセンジャー等でのメッセージ通信や会議への参加等にも適用できる。
【産業上の利用可能性】
【００７８】
本発明によれば、未知の発信者に対する着信または応答時の判断が可能になるとともに、通知に対して応じない発信者に対しては着信を拒否することができ、また、発信側は着信側の設定によって発信しなおす必要が無くなるという効果を有し、電話等の通信機器に有用である。
【図面の簡単な説明】
【００７９】
【図１】本発明の実施の形態１の携帯電話の概略構成図
【図２】着信条件を示した図
【図３】本発明の実施の形態１の携帯電話の動作のフローチャートを示す図
【図４】本発明の実施の形態１の携帯電話の動作のフローチャートを示す図
【図５】本発明の実施の形態１の携帯電話の動作のフローチャートを示す図
【図６】本発明の実施の形態２の携帯電話の概略構成図
【図７】本発明の実施の形態２の携帯電話の動作のフローチャートを示す図
【図８】本発明の実施の形態２の携帯電話の動作のフローチャートを示す図
【符号の説明】
【００８０】
１０１      アンテナ
１０２      無線部
１０３      ベースバンド部
１０４      制御部
１０５      表示部
１０６      マイク・スピーカ部
１０４１      発信者情報受信部
１０４２      判定部
１０４３      着信条件設定部
１０４４      発信者情報要求部
１０４５      発信者情報記録部
１０４６      タイマー部
２０４１      要求受信部
２０４２      返信可否選択部
２０４３      要求返信部
【図１】
2007082089.tif 000003
【図２】
2007082089.tif 000004
【図３】
2007082089.tif 000005
【図４】
2007082089.tif 000006
【図５】
2007082089.tif 000007
【図６】
2007082089.tif 000008
【図７】
2007082089.tif 000009
【図８】
2007082089.tif 000010